(57)【要約】      （修正有）【課題】電池の消耗の低減を図りつつ、良好に忘れ物等を検知することができる利便性・実用性の高い無線距離測定スイッチ，無線距離検知システム，携帯端末，そのプログラム，及び無線タグを提供する。【解決手段】無線検知プログラムは、動作モードに応じた間隔で問合せ信号を送信する。各携行品の無線タグ３００は、自己のＩＤを応答信号として送信する。これらの応答信号が携帯電話１００の近距離通信部で受信されると、無線検知プログラムは、受信信号強度から、その距離を検出し、動作モードの設定値外となったときは、該当する携行品の携行ボタンをアラーム表示とするとともに、要注意モードの携行品の無線タグ３００に対して警報出力を指示する。該当する無線タグ３００では、制御部から発音部に駆動信号が出力され、警報音が出力される。【選択図】図１
2013054518.tif 000002
【特許請求の範囲】
【請求項１】
近距離通信手段を備えた携帯端末と、
該近距離通信手段と無線通信可能であって、検知対象に取り付けられる少なくとも１つの無線タグと、
前記携帯端末に設けられており、前記近距離通信手段によって前記無線タグに問合せを行い、無線タグが近辺にあるかどうかを検知する無線検知手段とを備えており、
前記問合せの間隔もしくは前記携帯端末と前記無線タグとの検出距離の少なくとも一方が異なる複数の動作モードを備えたことを特徴とする無線距離検知システム。
【請求項２】
前記複数の動作モードが、
前記警報を出力する距離が１０ｍであって、１分間に１回の割合で前記問合せを行う節電モードと、
前記警報を出力する距離が５ｍであって、１分間に６回の割合で前記問合せを行う要注意モードと、
を含むことを特徴とする請求項１記載の無線距離検知システム。
【請求項３】
前記携帯端末が加速度センサを備えており、
該加速度センサによって前記携帯端末の動きが検知されたときは、前記無線検知手段における前記問合せの間隔を短くすることを特徴とする請求項１記載の無線距離検知システム。
【請求項４】
前記検知対象にも警報を出力する警報出力手段を設け、
前記警報を出力する距離となったときに、前記携帯端末及び検知対象の両方から警報を出力することを特徴とする請求項１〜３のいずれか一項に記載の無線距離検知システム。
【請求項５】
前記検知対象にも警報を出力する警報出力手段を設け、
前記問合せの間隔をモニターし、所定時間内に問合せがなかったときは、前記警報出力手段から警報出力を行うことを特徴とする請求項１〜３のいずれか一項に記載の無線距離検知システム。
【請求項６】
請求項１〜５のいずれか一項に記載の無線距離検知システムで使用され、前記近距離通信手段，前記無線距離検出手段，及び、前記警報出力手段を備えており、前記複数の動作モードで検知対象の検知動作を行うことを特徴とする携帯端末。
【請求項７】
請求項６記載の携帯端末で実行され、前記無線距離検知手段として機能するとともに、前記複数の動作モードで検知対象の検知動作を行うことを特徴とする無線距離検知プログラム。
【請求項８】
請求項１〜５のいずれか一項に記載の無線距離検知システムで使用され、前記近距離通信手段からの問合せに対して応答信号を出力することを特徴とする無線タグ。
【請求項９】
請求項４記載の無線距離検知システムで使用され、前記近距離通信手段からの問合せに対して応答信号を出力するとともに、前記警報出力手段を備えたことを特徴とする無線タグ。
【請求項１０】
請求項５記載の無線距離検知システムで使用され、前記近距離通信手段からの問合せに対して応答信号を出力するとともに、前記問合せの間隔をモニターし、所定時間内に問合せがなかったときは前記警報出力手段から警報出力を行うことを特徴とする無線タグ。
【請求項１１】
携帯端末の近距離通信手段と、検知対象に取り付けられる少なくとも１つの無線タグとが無線通信可能であって、
問合せの間隔もしくは前記携帯端末と前記無線タグとの検出距離の少なくとも一方が異なる複数の動作モードで、前記近距離通信手段によって前記無線タグに問合せを行うとともに、前記無線タグとの距離を測定し、測定結果に基づいて動作することを特徴とする無線距離測定スイッチ。
【発明の詳細な説明】
【技術分野】
【０００１】
本発明は、Bluetooth（登録商標）などの近距離無線を利用して忘れ物などを検知する無線距離測定スイッチ，無線距離検知システム，携帯端末，そのプログラム，及び無線タグに関するものである。
【背景技術】
【０００２】
近距離無線を利用して忘れ物などを検知する従来技術としては、例えば、下記特許文献１記載の「ＩＣタグ検知装置及び携帯電話機」がある。これによれば、携帯電話機にＩＣタグを検知するＩＣタグ検知装置が内蔵される。一方、傘，財布，帽子などの持ち物には、それぞれＩＣタグが取り付けられる。ＩＣタグ検知装置によって検知対象のＩＣタグの内の何れか１つでも検知できない場合、携帯電話機のアラーム機能によりその旨が報知される。
【先行技術文献】
【特許文献】
【０００３】
【特許文献１】特開2004-13789号公報
【発明の概要】
【発明が解決しようとする課題】
【０００４】
ところで、忘れ物を検知する距離は、対象物によって必ずしも同一である必要はなく、必要に応じて適宜設定するほうが良好に忘れ物を検知することができる。また、ＩＣタグを検知する間隔については、短くするほど都合がよいが、携帯電話の電池の消耗が激しくなってしまう。
【０００５】
本発明は、以上のような点に着目したもので、電池の消耗の低減を図りつつ、良好に忘れ物等を検知することができる利便性・実用性の高い無線距離測定スイッチ，無線距離検知システム，携帯端末，そのプログラム，及び無線タグを提供することを、その目的とする。
【課題を解決するための手段】
【０００６】
本発明の無線距離検知システムは、近距離通信手段を備えた携帯端末と、該近距離通信手段と無線通信可能であって、検知対象に取り付けられる少なくとも１つの無線タグと、前記携帯端末に設けられており、前記近距離通信手段によって前記無線タグに問合せを行い、無線タグが近辺にあるかどうかを検知する無線検知手段とを備えており、前記問合せの間隔もしくは前記携帯端末と前記無線タグとの検出距離の少なくとも一方が異なる複数の動作モードを備えたことを特徴とする。
【０００７】
主要な形態の一つは、前記複数の動作モードが、前記警報を出力する距離が１０ｍであって、１分間に１回の割合で前記問合せを行う節電モードと、前記警報を出力する距離が５ｍであって、１分間に６回の割合で前記問合せを行う要注意モードと、を含むことを特徴とする。他の形態の一つは、前記携帯端末が加速度センサを備えており、該加速度センサによって前記携帯端末の動きが検知されたときは、前記無線検知手段における前記問合せの間隔を短くすることを特徴とする。あるいは、前記検知対象にも警報を出力する警報出力手段を設け、前記警報を出力する距離となったときに、前記携帯端末及び検知対象の両方から警報を出力することを特徴とする。更には、前記検知対象にも警報を出力する警報出力手段を設け、前記問合せの間隔をモニターし、所定時間内に問合せがなかったときは、前記警報出力手段から警報出力を行うことを特徴とする。
【０００８】
本発明の携帯端末は、前記無線距離検知システムで使用され、前記近距離通信手段，前記無線距離検出手段，及び、前記警報出力手段を備えており、前記複数の動作モードで検知対象の検知動作を行うことを特徴とする。本発明の無線距離検知プログラムは、前記携帯端末で実行され、前記無線距離検知手段として機能するとともに、前記複数の動作モードで検知対象の検知動作を行うことを特徴とする。
【０００９】
本発明の無線タグは、前記いずれかの無線距離検知システムで使用され、前記近距離通信手段からの問合せに対して応答信号を出力することを特徴とする。主要な形態の一つは、前記無線距離検知システムで使用され、前記近距離通信手段からの問合せに対して応答信号を出力するとともに、前記警報出力手段を備えたことを特徴とする。更に他の形態の一つは、前記無線距離検知システムで使用され、前記近距離通信手段からの問合せに対して応答信号を出力するとともに、前記問合せの間隔をモニターし、所定時間内に問合せがなかったときは前記警報出力手段から警報出力を行うことを特徴とする。
【００１０】
本発明の無線距離測定スイッチは、携帯端末の近距離通信手段と、検知対象に取り付けられる少なくとも１つの無線タグとが無線通信可能であって、問合せの間隔もしくは前記携帯端末と前記無線タグとの検出距離の少なくとも一方が異なる複数の動作モードで、前記近距離通信手段によって前記無線タグに問合せを行うとともに、前記無線タグとの距離を測定し、測定結果に基づいて動作することを特徴とする。本発明の前記及び他の目的，特徴，利点は、以下の詳細な説明及び添付図面から明瞭になろう。
【発明の効果】
【００１１】
本発明によれば、検知距離と検知間隔が異なる複数の動作モードを備えることとしたので、電池の消耗の低減を図りつつ、良好に忘れ物等を検知することができる。
【図面の簡単な説明】
【００１２】
【図１】本発明の実施例１の全体を示す構成図である。
【図２】前記実施例１の携帯電話の構成を示すブロック図である。
【図３】前記実施例１の無線タグの構成とＩＤテーブルの例を示す図である。
【図４】前記実施例１における設定動作を示すフローチャート及びその設定画面の一例を示す図である。
【図５】前記実施例１における忘れ物の検知動作を示すシーケンス図である。
【図６】本発明の実施例２における所持品の認識画面の一例を示す図である。
【図７】前記実施例２における設定動作を示すシーケンス図である。
【図８】前記実施例２における忘れ物の検知動作を示すシーケンス図である。
【図９】(A)は前記実施例２における問合せ時の動作を示すフローチャート、(B)は無線警報タグ側の動作を示すフローチャートである。
【発明を実施するための形態】
【００１３】
以下、本発明を実施するための形態を、実施例に基づいて詳細に説明する。
【実施例１】
【００１４】
図１には、本実施例の全体構成が示されており、携帯電話１００を中心に構成されている。検知対象２００としては、サイフ２１０，カギ２２０，カサ２３０，バッグ２４０が示されているが、必要に応じて増減してよい。各検知対象２００には、キーホルダー２１２，２２２，２３２，２４２がそれぞれ設けられており、各キーホルダーには無線タグ３００がそれぞれ内蔵されている。
【００１５】
これらのうち、携帯電話１００は、例えば、図２に示すようなブロック構成となっており、ＭＰＵなどによって構成された制御処理部１０２を中心に構成されている。この制御処理部１０２には、液晶ディスプレイなどの表示部１１０，タッチパネルやテンキーなどの入力部１１２，着信音などを出力するスピーカ１１４，通話時の音声出力を行うレシーバ１１５，音声を入力するマイク１１６，電話機能を担う通話部１１８，画像撮影を行うカメラ１２０，位置情報を取得するＧＰＳ１２２，カレンダー・時計１２４，bluetooth（登録商標）などの近距離通信部１２６，携帯電話１００の方向を検知する加速度センサ１２７，メモリ１３０がそれぞれ接続されている。これら各部の動作制御が、制御処理部１０２によって行われるようになっている。
【００１６】
これらの基本的な構成は公知であり、一般的な携帯電話やスマートフォンと同様である。例えば、通話を行うときは、入力部１１２において、相手先の電話番号を入力するとともに、オンフック操作を行うと、制御処理部１０２によって通話部１１８により発呼処理が行われ、レシーバ１１５及びマイク１１６を使用して相手方との通話が行われるという具合である。
【００１７】
以上の各部のうち、特に本実施例に関係する部分について説明すると、本実施例の無線検知を行う際には、無線検知プログラム１０４が制御処理部１０２で実行されるようになっている。無線検知プログラム１０４は、予め携帯電話１００に用意しておいてもよいが、アプリケーションソフトウエアとして、利用者がダウンロード等により取得して組み込むようにしてもよい。無線検知プログラム１０４が実行されると、メモリ１３０にＩＤテーブル１３２が用意される。ＩＤテーブル１３２は、無線タグ３００のＩＤと、それを取り付けた検知対象物との関係を示すテーブルである。例えば、タグＩＤ＝No.１の無線タグ３００はサイフに取り付けられており、タグＩＤ＝No.２の無線タグ３００はカギに取り付けられているといった具合である。
【００１８】
カレンダー・時計１２４は、年月日と時刻を示すもので、後述するように、忘れ物を検知した日時及び時刻のデータを取得するためのものである。近距離通信部１２６としては、例えば、bluetooth（登録商標）による通信が可能なモジュールが用意される。
【００１９】
次に、図３(A)を参照しながら、携行品に取り付けられた無線タグ３００について説明する。無線タグ３００は、上述した携帯電話１００の近距離通信部１２６と対応した無線モジュールによって構成されており、制御部３０１，送受信部３０２，メモリ３０４，電源３０６，発音部３０８が設けられている。メモリ３０４には、予め設定した無線タグ３００のＩＤが記憶されている。
【００２０】
bluetoothの通信規格によれば、携帯電話１台に対し、最大で７個までの通信相手を認識してそれぞれ通信指示を行うことができるようになっているので、本実施例でも携行品は最大７個となっている。また、bluetoothには、電波強度のクラスがあるが、本実施例では、例えばクラス２の電波出力「２．５ｍＷ」，到達距離「１０ｍ」が近距離通信部１２６と無線タグ３００に設定されている。
【００２１】
各部に駆動用の電力を供給する電源３０６としては、もちろんボタン電池や太陽電池などを使用してもよいが、携行品は振動する可能性が高いので、振動発電装置を用いて電池を充電するようにしてもよい。
以上のような無線タグ３００の制御部３０１の基本的な動作は、
ａ，携帯電話１００の近距離通信部１２６からの問合せがあったときに、メモリ３０４に格納されている自己のＩＤデータを送受信部３０２から送信するＩＤ送信動作，
ｂ，携帯電話１００の近距離通信部１２６から発音指示があったときに、発音部３０８を駆動してアラーム音を出力するアラーム動作，
である。
【００２２】
次に、図４及び図５も参照しながら、本実施例の全体動作を説明する。まず、携帯電話１００の近距離通信部１２６と無線タグ３００との間でペアリングを行い、携帯電話１００で無線タグ３００を認識する。このとき、利用者は、いずれの無線タグがいずれの携行品に対応するかを予め入力しておく。ペアリングの結果は、ＩＤテーブル１３２として、携帯電話１００のメモリ１３０に格納される。図３(B)には、図１の場合におけるＩＤテーブル１３２の例が示されている。タグＩＤ＝No.１の無線タグ３００はサイフ２１０，タグＩＤ＝No.２の無線タグ３００はカギ２２０，という具合である。このペアリングの動作は、無線タグ３００を新規に購入したときに一度行えばよい。
【００２３】
利用者は、必要が生じたとき、例えば外出するときは、携帯電話１００の入力部１１２によって忘れ物検知の入力操作を行う。例えば、忘れ物検知のアイコンをクリックする。すると、図４(A)に示すように、無線検知プログラム１０４が起動される（ステップＳ１０）。これにより、携帯電話１００の表示部１１０に、設定画面が表示される（ステップＳ１２）。図４(B)には、設定画面の一例が示されている。認識可能な最大７個の無線タグ３００に対応するタグＩＤ＝No.１〜No.７のボタンが表示されている。いずれのタグＩＤがどの携行品に該当するかは、メモリ１３０のＩＤテーブル１３２を参照することで認識され、画面上に表示される。この画面上で、利用者は、携行の有無及び動作モードの設定を行う（ステップＳ１４）。
【００２４】
例えば、利用者が、サイフ、カギ，バッグを携行しているときは、携行ボタンＳＡ１，ＳＡ２，ＳＡ４を「ＯＮ」とする。一方、カサは携行していないとすると、携行ボタンＳＡ３は「ＯＦＦ」のままとなる。具体的には、「ＯＮ」は青色，「ＯＦＦ」は赤色で表示される。この設定結果は、ＩＤテーブル１３２に保存される（図３(B)参照）。
【００２５】
次に、利用者は、モード設定ボタンＭＡ１，ＭＢ１，ＭＡ２，ＭＢ２，・・・を押して、動作モードを設定する。モード設定ボタンＭＡ１，ＭＡ２，・・・を押すと要注意モードとなり、モード設定ボタンＭＢ１，ＭＢ２，・・・を押すと節電モードとなる。要注意モードでは、１分間に６回の割合で無線タグ３００に問合せを行うとともに、携行品との距離が５ｍ以上離れるとアラーム出力を行う。節電モードでは、１分間に１回の割合で無線タグ３００に問合せを行うとともに、携行品との距離が１０ｍ以上離れるとアラーム出力を行う。なお、全ての携行品について、共通の設定を行うときは、共通設定ボタンＳＡ，ＭＡ，ＭＢを操作する。設定終了後、利用者が開始ボタンＳＰを押すと、無線検知プログラム１０４は、忘れ物検知動作に移行する（ステップＳ１６）。
【００２６】
次に、忘れ物検知動作について説明する。無線検知プログラム１０４は、設定された動作モードに応じた間隔で問合せ信号を送信する（図５，ステップＳ３０）。すると、各携行品の無線タグ３００は、自己のＩＤを応答信号として送信する（ステップＳ３２，Ｓ３４，Ｓ３６）。これらの応答信号が携帯電話１００の近距離通信部１２６で受信されると、無線検知プログラム１０４は、受信信号強度から、その距離を検出する（ステップＳ３８）。その結果、検出した距離が動作モードの設定値以内であるときは（ステップＳ４０のYes）、次の応答信号の送信動作を行う。
【００２７】
しかし、検出した距離が、動作モードの設定値外となったときは（ステップＳ４０のNo）、該当する携行品の携行ボタンＳＡ１，ＳＡ２，・・・をアラーム表示とするとともに、要注意モードの携行品の無線タグ３００に対して警報出力を指示する（ステップＳ４２）。これに基づいて、該当する無線タグ３００では、制御部３０１から発音部３０８に駆動信号が出力され、警報音が出力される。前記アラーム表示は、例えば青色の携行ボタンを黄色の点滅で表示することで行われる。同時に警報音や振動を出力するようにしてもよい。なお、節電モードでは、１０ｍを超えたときは、電波が届かないので、無線タグ３００における警報音の出力は行われない。
【００２８】
例えば、サイフ２１０に対して要注意モードで検知動作が行われているときは、５ｍ離れたことが検出された時点で、サイフ２１０に対応する携行ボタンＳＡ１が青色から黄色の点滅に変わるとともに、サイフ２１０に取り付けられているキーホルダー２１２の無線タグ３００から警報音が出力される（ステップＳ４４）。
【００２９】
同時に、無線検知プログラム１０４は、ＧＰＳ１２２から位置情報を取得するとともに、カレンダー・時計１２４から日時の情報を取得し、忘れ物を検知した場所及び時刻のデータとしてメモリ１３０に保存する（ステップＳ４６）。利用者が、黄色表示の携行ボタンＳＡ１を押すと、表示部１１０上に、前記場所及び時刻のデータが表示される（ステップＳ４８）。このとき、地図上に忘れ物をした地点を表示するようにしてもよい。
【００３０】
以上のように、本実施例によれば、次のような効果がある。
ａ，節電モードと要注意モードを設けることとしたので、電池の消耗を低減しつつ、良好に忘れ物を検知することができる。
ｂ，無線タグをキーホルダーに内蔵することとしたので、どのような物にも簡単に取り付けることができる。
ｃ，無線タグの電源として振動発電装置を用いることで、利用者の移動中に発電して電池を充電することができ、電池の長寿命化を図ることができる。
ｄ，要注意モードでは忘れ物からも警報音が出力されるので、携行品の盗難の恐れが低減される。
ｅ，携帯電話を忘れたときに携行品側から警報音出力を行うこととしたので、携帯電話１００自体の忘れ物を検知することができる。
【実施例２】
【００３１】
次に、図６〜図９を参照しながら、本発明の実施例２について説明する。本実施例における携帯電話１００及び無線タグ３００の基本的な構成は前記実施例１と同様であるが、無線検知プログラム１０４及び制御部３０１の動作が異なり、忘れ物検知に加速度センサ１２７が利用される。加速度センサ１２７は、携帯電話１００の傾きを検出し、利用者から見て画面が正しい向きで表示されるようにするためのものであるが、本実施例では、後述する図９(A)に示すように、携帯電話１００にかかる加速度の検出手段として機能する。例えば、利用者が急に動いたような場合に、それが加速度センサ１２４によって検知される。また、本実施例の近距離通信部１２６としては、bluetoothの電波強度のクラス３の電波出力「１ｍＷ」，到達距離「１ｍ」のモジュールが用いられる。
【００３２】
一方、本実施例の無線タグ３００も、同様にbluetoothの電波強度のクラス３のモジュールが用いられる。また、本実施例の無線タグ３００は、前記実施例１で示した動作の他に、後述する図９(B)に示すように、問合せ信号の受信間隔のモニターする機能も備えている。
【００３３】
次に、本実施例の全体動作を説明する。携帯電話１００の近距離通信部１２６と無線タグ３００との間でのペアリングを行う点，いずれの無線タグがいずれの所持品に対応するかの入力を行う点は、前記実施例と同様である。利用者は、必要が生じたとき、例えば外出するときは、携帯電話１００の入力部１１２によって忘れ物検知の入力操作を行う。すると、図７に示すように、無線検知プログラム１０４が起動される（ステップＳ１００）。これにより、近距離通信部１２６から設定信号が出力され（ステップＳ１０２）、無線タグ３００の送受信部３０２で受信される。各タグでは、制御部３０１によってメモリ３０４から自己のＩＤが読み出され、送受信部３０２から応答信号として出力される（ステップＳ１０４〜Ｓ１０８）。
【００３４】
携帯電話１００の近距離通信部１２６で応答信号が受信されると、そのＩＤから利用者が持っている所持品を認識し（ステップＳ１１０）、認識した物としなかった物を表示部１１０に表示する（ステップＳ１１２）。図６には、表示の一例が示されている。ＩＤとして、No.１，No.２，No.４が受信されたとすると、それらのＩＤに何が対応するかはメモリ１３０のＩＤテーブル１３２を参照することで知ることができ、本例では、サイフ２１０，カギ２２０，バッグ２４０が所持品として認識される。この認識結果は、ＩＤテーブル１３２に保存されるとともに、携帯電話１００の表示部１１０にチェックマークによって表示される。利用者は、この画面を参照することで、サイフ２１０，カギ２２０，バッグ２４０を持っているが、カサ２３０は持っていないことを確認することができる。もし、カサ２３０も必要であるということであれば、利用者は、カサ２３０を携帯して画面上の再設定ボタンＢ１０を押し、図７の動作を再度行う。利用者が、図６の表示画面上の確認ボタンＢ１２を押してチェックを確認する入力を行うと（ステップＳ１１４）、無線検知プログラム１０４は、忘れ物検知動作に移行する（ステップＳ１１６）。
【００３５】
次に、図８に示す忘れ物検知動作について説明する。無線検知プログラム１０４は、適宜の間隔で問合せ信号を送信する（ステップＳ１２０）。すると、各所持品の無線タグ３００は、自己のＩＤを応答信号として送信する（ステップＳ１２２，Ｓ１２４，Ｓ１２６）。これらの応答信号が携帯電話１００の近距離通信部１２６で受信されると、無線検知プログラム１０４は、ＩＤテーブル１３２を参照し、チェックした所持品と受信ＩＤとが一致するかどうかを比較する（ステップＳ１２８）。その結果、距離が離れて所定強度の応答信号を受信できず、チェックした所持品と受信ＩＤとが一致していないときは、スピーカ１１４からアラーム音を出力する（ステップＳ１３０）。これにより、利用者は、忘れ物が生じたことを知ることができる。アラーム音の代わりに「○○を忘れました」という具合に音声出力を行ってもよいし、その旨の表示や振動を行うようにしてもよい。
【００３６】
ところで、この場合において、無線検知プログラム１０４は、図９(A)に示すように、加速度センサ１２７の検知出力をモニターしており(ステップＳ１５０)、何らかの動きを検知したときは(ステップＳ１５２のYes)、一定の間、問合せ信号の間隔を通常時より小さくする(ステップＳ１５４)。例えば、通常モード時は３０秒に１回の割合で問合せ信号を送信するのに対し、動きを検知した要注意モード時は３秒に１回の割合で問合せ信号を送信するという具合である。この動作は、一定時間，例えば３分間程度行うようにしてもよいし、動きを検知しなくなるまで継続して行ってもよい。加速度センサ１２７で動きを検知した場合とは、例えば、電車などに乗降する場合、飲食店などにおいて席を立つような場合が考えられ、最も忘れ物が生ずる可能性が高く、注意を要する。そこで、問合せ信号の送信頻度を高めることで、忘れ物が生じたことを速やかに検知して利用者に知らせるようにする。
【００３７】
加えて、無線タグ３００では、図９(B)に示すように、その制御部３０１において問合せ信号の受信間隔がモニターされる（ステップＳ１６０）。その結果、所定時間内に問合せ信号を受信しなかったときは（ステップＳ１６２のNo）、発音部３０８からアラーム音を出力する（ステップＳ１６４）。問合せ信号の送信間隔は、上述したように予め決まっているので、それを所定時間内に受信できず、アラーム音が鳴ったときは、
ａ，無線タグ３００が付されているサイフ２１０等を忘れたために、携帯電話１００とサイフ２１０等との距離が所定以上となったか、もしくは、
ｂ，サイフ２１０等は持参しているが、携帯電話１００を忘れて、両者の距離が所定以上となった、
可能性がある。なお、本例では、bluetoothの電波強度クラス３が用いられているため、１ｍ以上離れると、アラーム音が出力される。
【００３８】
このように、サイフ２１０等を忘れたときは、上述したように携帯電話１００側でもその旨の警告が行われるので、これによって利用者はサイフ２１０等を忘れたことを知ることができる。一方、携帯電話１００を忘れたときは、サイフ２１０等の無線タグ３００から警告が行われるので、これによって利用者は携帯電話１００を忘れたことを知ることができる。加えて、忘れた携帯電話１００のみならずサイフ２１０等からもアラーム音が出力されるので、利用者は、その音を頼りに忘れた物を探し出すことができる。また、第三者も、アラーム音が鳴っている物を取得することにためらいを生ずるため、盗難の恐れが低減されるようになる。
【００３９】
以上のように、本実施例によれば、前記実施例に加えて、次のような効果がある。
ａ，出かけるときに、携行品を自動的に認識することとしたので、入力設定の手間を省くことができる。
ｂ，通常時は比較的大きな時間間隔で問合せを行い、動きを検知した要注意時は小さな時間間隔で問合せを行うようにしたので、電池の消耗を低減しつつ、電車の乗降時などにおいても、効果的に忘れ物を検知することができる。
【００４０】
なお、前記説明では、無線タグ３００側で図９(B)に示した問合せ信号の受信間隔モニターを行うとともに警報音出力を行ったが、これは、携帯電話１００を忘れた場合にそれを検知するためのもので、そのような必要性がないときは、問合せに対して単に自己のＩＤを送信するだけの機能を備えた簡便な構造の無線タグ，例えば、電源がなくても動作するパッシブ型の無線タグを用いるようにしてよい。また、サイフなど、重要度の高い携行品に本実施例のような無線タグを取り付け、重要度の低い携行品にはパッシブ型の無線タグを取り付けるようにしてもよい。
【００４１】
加えて、携帯電話１００の加速度センサ１２７で携帯電話１００の動きを検知したときに、無線検知プログラム１０４が起動されているかどうかをチェックし、起動されていないときは、その起動を促すようにしてもよい。外出するときは、携帯電話１００に動きが生ずると考えられる。その場合に、利用者が無線検知プログラム１０４の起動を忘れていると、忘れ物検知を行うことができないので、その旨を画面に表示する，その旨の音声信号を出力するなどの方法で無線検知プログラム１０４の起動を促すようにする。
【実施例３】
【００４２】
次に、本発明の他の変形例を実施例３として説明する。
（１）設定時に、無線検知プログラム１０４によって天気情報を取得する。そして、降水確率が５０％以上でカサ２３０を所持していないとき、降水確率が５０％以下でカサ２３０を所持しているときは、その旨を設定画面上もしくは音声にて問い合わせる。これにより、カサが必要となる可能性が高いのに所持し忘れたり、逆にカサが不要である可能性が高いのに所持したりといった不都合を防ぐことができる。
（２）忘れ物として検知された無線タグ３００からの信号を受信したときにロックして開かないようにするロック装置をバッグに設け、バッグが盗難に合ったときに内部を保護する。
（３）無線タグ３００側で電池残量が少くなったときに、これを携帯電話１００側に通知し、その旨の表示を行うことで、電池交換ないし充電を促すようにする。
（４）無線検知動作の終了は、図４(B)に示した設定画面上で終了のボタン（図示せず）を操作することで終了するようにしてもよいが、例えば、自宅に戻ったこと，職場に到着したこと等、予め設定した地点に到着したことがＧＰＳ１２２の出力から確認できたときは、自動的に終了するようにしてもよく、無線検知プログラム１０４にかかる機能を備えておけばよい。
【００４３】
なお、本発明は、上述した実施例に限定されるものではなく、本発明の要旨を逸脱しない範囲内において種々変更を加えることができる。例えば、以下のものも含まれる。
（１）前記実施例では、携帯電話と携行品との距離を検知してアラーム出力を行ったが、広く考えると、無線で距離を測定してアラーム出力のスイッチをＯＮとするという無線距離測定スイッチと考えることができる。
（２）前記実施例で示した携行品の種類や数は必要に応じて増減してよい。現行のbluetoothの規格によれば７つまでとなるが、規格に限定されるものではない。電波の出力強度や到達距離も同様であり、必要に応じて適宜設定してよい。問合せの時間間隔や忘れ物として検出する距離も同様であり、両方もしくは一方を適宜設定する。
（３）前記実施例では、無線タグをキーホルダーとして携行品に取り付けるようにしたが、バッジなどとして取り付けてもよいし、タグ自体を直接携行品に取り付けるようにしてもよい。
（４）前記実施例では、携行品に無線タグを取り付けて忘れ物を防止するようにしたが、置引きの防止にも同様に利用できる。また、子供や老人など人に無線タグを所持させることで、迷子の防止・発見，徘徊者の発見などにも利用することができる。
（５）前記実施例では、携帯電話を利用した場合を説明したが、スマートフォン，ＰＨＳ，ＰＤＡ，電子書籍端末など、各種の携帯端末に適用可能である。また、前記実施例では、近距離通信方式として、bluetoothを用いた場合を示したが、無線ＬＡＮなど、他の方式を採用してもよい。近距離通信用モジュールのみによる専用端末を構成してもよい。
【産業上の利用可能性】
【００４４】
本発明によれば、検知距離と検知間隔が異なる複数の動作モードを備えることとしたので、電池の消耗の低減を図りつつ、良好に忘れ物等を検知することができ、利便性・実用性の高い忘れ物検知システムや迷子発見システムなどに好適である。
【符号の説明】
【００４５】
１００：携帯電話
１０２：制御処理部
１０４：無線検知プログラム
１１０：表示部
１１２：入力部
１１４：スピーカ
１１５：レシーバ
１１６：マイク
１１８：通話部
１２０，：カメラ
１２２：ＧＰＳ
１２４：カレンダー・時計
１２６：近距離通信部
１２７：加速度センサ
１３０：メモリ
１３２：ＩＤテーブル
２００：検知対象
２１０：サイフ
２１２，２２２，２３２，２４２：キーホルダー
２２０：カギ
２３０：カサ
２４０：バッグ
３００：無線タグ
３０１：制御部
３０２：送受信部
３０４：メモリ
３０６：電源
３０８：発音部
Ｂ１０：再設定ボタン
Ｂ１２：確認ボタン
ＭＡ１，ＭＡ２，・・・：モード設定ボタン
ＳＡ，ＭＡ，ＭＢ：共通設定ボタン
ＳＡ１，ＳＡ２，ＳＡ４：携行ボタン
ＳＰ：開始ボタン
【図１】
2013054518.tif 000003
【図２】
2013054518.tif 000004
【図３】
2013054518.tif 000005
【図４】
2013054518.tif 000006
【図５】
2013054518.tif 000007
【図６】
2013054518.tif 000008
【図７】
2013054518.tif 000009
【図８】
2013054518.tif 000010
【図９】
2013054518.tif 000011